(57)【要約】【課題】光書込型の表示媒体に情報を追記するときに、表示媒体に不要な電圧が印加されるのを抑制する。【解決手段】駆動装置は、表示媒体２００に情報を追記する場合において、あらかじめ別の画像が既に表示されているときには、追記をする期間（指示体３００により指示されている期間）のうちの当該別の画像が表示されている位置を追記する期間における電圧の印加を抑制する。かかる期間は、もとから階調が変化しており、追記をする必要がない期間だからである。また、これにより、表示媒体２００にあっては、連続して電圧が印加される時間が短くなる。【選択図】図８
2011027805.tif 000002
【特許請求の範囲】
【請求項１】
指示体により指示された第１の面上の位置である指示位置を特定する位置特定手段と、
前記位置特定手段により指示位置が特定されると、前記第１の面と、印加される電圧及び照射される光に応じて階調が変化する表示層と、前記表示層を介して前記第１の面と対向する第２の面とを有する表示媒体に対して電圧を印加する電圧印加手段と、
前記表示層の前記位置特定手段により特定された指示位置に対応する位置の階調があらかじめ決められた階調より変化している場合に、当該位置の階調が前記あらかじめ決められた階調より変化していない場合よりも前記電圧印加手段によって前記表示層に印加される電圧が抑制されるように制御する制御手段と
を備えることを特徴とする駆動装置。
【請求項２】
前記制御手段が、前記表示層の前記位置特定手段により特定された指示位置に対応する位置の階調があらかじめ決められた階調より変化している場合に、前記電圧印加手段に電圧の印加をさせない
ことを特徴とする請求項１に記載の駆動装置。
【請求項３】
前記表示媒体のうち階調があらかじめ決められた階調より変化している位置を表すデータが記憶された記憶手段から当該データを取得する取得手段を備え、
前記制御手段が、前記取得手段により取得されたデータに基づいて前記電圧印加手段による電圧の印加を制御する
ことを特徴とする請求項１又は２に記載の駆動装置。
【請求項４】
請求項１に記載の表示媒体と、請求項１ないし３のいずれかに記載の駆動装置とを備えることを特徴とする表示装置。
【請求項５】
第１の面と、印加される電圧及び照射される光に応じて階調が変化する表示層と、前記表示層を介して前記第１の面と対向する第２の面とを有する表示媒体に電圧を印加する駆動装置と、前記表示媒体の第１の面上の位置である指示位置を指示するための指示体とを有し、
前記駆動装置又は前記指示体が、
前記指示位置を特定する位置特定手段を備え、
前記駆動装置が、
前記位置特定手段により指示位置が特定されると、前記表示層に電圧を印加する電圧印加手段と、
前記表示層の前記位置特定手段により特定された指示位置に対応する位置の階調があらかじめ決められた階調より変化している場合に、当該位置の階調が前記あらかじめ決められた階調より変化していない場合よりも前記電圧印加手段による電圧の印加が抑制されるように制御する制御手段とを備え、
前記駆動装置と前記指示体の少なくともいずれかが、
前記電圧印加手段により電圧が印加された表示層の前記位置特定手段により特定された指示位置に対応する位置を露光する露光手段を備える
ことを特徴とする記録システム。
【請求項６】
第１の面と、印加される電圧及び照射される光に応じて階調が変化する表示層と、前記表示層を介して前記第１の面と対向する第２の面とを有する表示媒体に電圧を印加する駆動装置と、前記表示媒体の第１の面上の位置である指示位置を指示するための指示体とを有し、
前記指示体が、
前記表示層の前記指示位置に光を照射する照射手段と、
前記照射手段により照射された光の反射光に基づいて前記指示位置の階調を検知する検知手段とを備え、
前記駆動装置が、
前記検知手段により前記指示位置の階調が検知されると、前記表示層に電圧を印加する電圧印加手段と、
前記検知手段により検知された階調があらかじめ決められた階調より変化している場合に、当該位置の階調が前記あらかじめ決められた階調より変化していない場合よりも前記電圧印加手段による電圧の印加が抑制されるように制御する制御手段とを備える
ことを特徴とする記録システム。
【請求項７】
前記表示媒体を備えることを特徴とする請求項５又は６に記載の記録システム。
【請求項８】
コンピュータを、
第１の面と、印加される電圧及び照射される光に応じて階調が変化する表示層と、前記表示層を介して前記第１の面と対向する第２の面とを有する表示媒体について、指示体により指示された前記第１の面上の位置である指示位置を表す第１のデータを取得する第１の取得手段と、
前記表示媒体の前記表示層にあらかじめ表示されている階調を表す第２のデータを取得する第２の取得手段と、
前記第１の取得手段により取得された第１のデータにより表される指示位置の階調があらかじめ決められた階調より変化しているか否かを、前記第２の取得手段により取得された第２のデータに基づいて判断する判断手段と、
前記判断手段により前記表示層の前記指示位置に対応する位置の階調があらかじめ決められた階調より変化していると判断された場合に、当該位置の階調が前記あらかじめ決められた階調より変化していない場合よりも前記電圧印加手段によって前記表示層に印加される電圧が抑制されるように制御する電圧制御手段
として機能させるためのプログラム。
【発明の詳細な説明】
【技術分野】
【０００１】
本発明は、駆動装置、表示装置、記録システム及びプログラムに関する。
【背景技術】
【０００２】
光書込型の表示媒体において、ペン状の指示体により情報を追記する技術が知られている（例えば、特許文献１参照）。ここにおいて、光書込型の表示媒体とは、印加される電圧と照射される光とに応じて表示状態が変化し、階調が変化する表示媒体をいう。
【先行技術文献】
【特許文献】
【０００３】
【特許文献１】特開２００５−３２１７３６号公報
【発明の開示】
【発明が解決しようとする課題】
【０００４】
本発明の目的は、光書込型の表示媒体に情報を追記するときに、表示媒体に不要な電圧が印加されるのを抑制することにある。
【課題を解決するための手段】
【０００５】
本発明の請求項１に係る駆動装置は、指示体により指示された第１の面上の位置である指示位置を特定する位置特定手段と、前記位置特定手段により指示位置が特定されると、前記第１の面と、印加される電圧及び照射される光に応じて階調が変化する表示層と、前記表示層を介して前記第１の面と対向する第２の面とを有する表示媒体に対して電圧を印加する電圧印加手段と、前記表示層の前記位置特定手段により特定された指示位置に対応する位置の階調があらかじめ決められた階調より変化している場合に、当該位置の階調が前記あらかじめ決められた階調より変化していない場合よりも前記電圧印加手段によって前記表示層に印加される電圧が抑制されるように制御する制御手段とを備える構成を有する。
【０００６】
本発明の請求項２に係る駆動装置は、請求項１に記載の構成において、前記制御手段が、前記表示層の前記位置特定手段により特定された指示位置に対応する位置の階調があらかじめ決められた階調より変化している場合に、前記電圧印加手段に電圧の印加をさせない構成を有する。
本発明の請求項３に係る駆動装置は、請求項１又は２に記載の構成において、前記表示媒体のうち階調があらかじめ決められた階調より変化している位置を表すデータが記憶された記憶手段から当該データを取得する取得手段を備え、前記制御手段が、前記取得手段により取得されたデータに基づいて前記電圧印加手段による電圧の印加を制御する構成を有する。
【０００７】
本発明の請求項４に係る表示装置は、請求項１に記載の表示媒体と、請求項１ないし３のいずれかに記載の駆動装置とを備える構成を有する。
【０００８】
本発明の請求項５に係る記録システムは、第１の面と、印加される電圧及び照射される光に応じて階調が変化する表示層と、前記表示層を介して前記第１の面と対向する第２の面とを有する表示媒体に電圧を印加する駆動装置と、前記表示媒体の第１の面上の位置である指示位置を指示するための指示体とを有し、前記駆動装置又は前記指示体が、前記指示位置を特定する位置特定手段を備え、前記駆動装置が、前記位置特定手段により指示位置が特定されると、前記表示層に電圧を印加する電圧印加手段と、前記表示層の前記位置特定手段により特定された指示位置に対応する位置の階調があらかじめ決められた階調より変化している場合に、当該位置の階調が前記あらかじめ決められた階調より変化していない場合よりも前記電圧印加手段による電圧の印加が抑制されるように制御する制御手段とを備え、前記駆動装置と前記指示体の少なくともいずれかが、前記電圧印加手段により電圧が印加された表示層の前記位置特定手段により特定された指示位置に対応する位置を露光する露光手段を備える構成を有する。
本発明の請求項６に係る記録システムは、第１の面と、印加される電圧及び照射される光に応じて階調が変化する表示層と、前記表示層を介して前記第１の面と対向する第２の面とを有する表示媒体に電圧を印加する駆動装置と、前記表示媒体の第１の面上の位置である指示位置を指示するための指示体とを有し、前記指示体が、前記表示層の前記指示位置に光を照射する照射手段と、前記照射手段により照射された光の反射光に基づいて前記指示位置の階調を検知する検知手段とを備え、前記駆動装置が、前記検知手段により前記指示位置の階調が検知されると、前記表示層に電圧を印加する電圧印加手段と、前記検知手段により検知された階調があらかじめ決められた階調より変化している場合に、当該位置の階調が前記あらかじめ決められた階調より変化していない場合よりも前記電圧印加手段による電圧の印加が抑制されるように制御する制御手段とを備える構成を有する。
本発明の請求項７に係る記録システムは、請求項５又は６に記載の構成において、前記表示媒体を備える構成を有する。
【０００９】
本発明の請求項８に係るプログラムは、コンピュータを、第１の面と、印加される電圧及び照射される光に応じて階調が変化する表示層と、前記表示層を介して前記第１の面と対向する第２の面とを有する表示媒体について、指示体により指示された前記第１の面上の位置である指示位置を表す第１のデータを取得する第１の取得手段と、前記表示媒体の前記表示層にあらかじめ表示されている階調を表す第２のデータを取得する第２の取得手段と、前記第１の取得手段により取得された第１のデータにより表される指示位置の階調があらかじめ決められた階調より変化しているか否かを、前記第２の取得手段により取得された第２のデータに基づいて判断する判断手段と、前記判断手段により前記表示層の前記指示位置に対応する位置の階調があらかじめ決められた階調より変化していると判断された場合に、当該位置の階調が前記あらかじめ決められた階調より変化していない場合よりも前記電圧印加手段によって前記表示層に印加される電圧が抑制されるように制御する電圧制御手段として機能させるためのものである。
【発明の効果】
【００１０】
本発明の請求項１、４、５、６、７、８に記載の構成によれば、指示位置に対応する位置の階調があらかじめ決められた階調より変化している場合において、電圧印加手段による電圧の印加を抑制しないときに比べ、表示媒体に不要な電圧が印加されるのを抑制することが可能である。
本発明の請求項２に記載の構成によれば、電圧印加手段による電圧の印加を抑制するときに電圧が生じないようにすることが可能である。
本発明の請求項３に記載の構成によれば、表示媒体に表示されている画像を実際に検知しなくても、表示媒体に表示されている画像を特定することが可能である。
【図面の簡単な説明】
【００１１】
【図１】記録システムの全体構成を示す図
【図２】狭義的な追記を例示する図
【図３】表示媒体の構造を示す図
【図４】コレステリック液晶における電圧の変化に応じた反射率の変化を示す模式図
【図５】記録装置のハードウェア構成を示すブロック図
【図６】記録装置が追記をするときに実現する機能的構成を示す機能ブロック図
【図７】記録装置が追記をするときに実行する処理を示すフローチャート
【図８】追記をするときの電圧印加の態様を示す図
【図９】印加電圧と反射率の関係を電圧の印加時間毎に示す図
【図１０】記録システムの構成を示す図
【発明を実施するための形態】
【００１２】
［実施形態］
図１は、本発明の一実施形態である記録システムの全体構成を示す図である。同図に示すように、本実施形態の記録システム１０は、記録装置１００と、表示媒体２００と、指示体３００とを備える。記録装置１００は、本発明に係る駆動装置の一例を含み、光書込型である表示媒体２００に電力を与えて駆動する構成を含んでいる。表示媒体２００は、記録装置１００に対して着脱される構成を有し、あらかじめ決められた状態で記録装置１００に装着されているときに、表示された情報が書き換えられる。指示体３００は、棒状の物体であり、表示媒体２００の表面の位置を指示する。指示体３００は、使用者が手で持ちやすい形状であることが望ましい。また、指示体３００は、使用者が指示する位置が明確となるように、先端（指示する側）に向かって細くなる形状であると、より望ましい。
【００１３】
本実施形態の記録システム１０において、情報を表示する態様には、追記による表示が含まれる。ここにおいて、追記とは、あらかじめ表示されている画像（直線、曲線、図形など）とは別の画像を新たに表示させることをいう。ここでいう「別の画像」は、指示体３００に指示されることで表示されるものである。
【００１４】
なお、本実施形態における追記には、狭義的には、ある線と交差する別の線とを連続して描く場合や、１本の曲線を交差するように描く場合が含まれる。
図２は、本実施形態における狭義的な追記を例示する図であり、ひらがなの「あ」を描く場合を示す図である。ここにおいて、１画目（点Ｐ１から点Ｐ２への横線）が描かれた後に２画目（点Ｐ３から点Ｐ４への縦線）が描かれると、点Ｐａにおいて、線と線とが交差する。また、続いて３画目（点Ｐ５から点Ｐ６への曲線）が描かれると、点Ｐｂ、Ｐｃ、Ｐｄの順に、線と線とが交差する。これらの交点Ｐａ、Ｐｂ、Ｐｃ及びＰｄは、線を描く前から、別の線が表示されていた部分であるといえる。よって、本実施形態においては、このような交点を生じる画像が表示される場合のことも、追記という概念に含む。
【００１５】
図３は、表示媒体２００の構造を示す図である。表示媒体２００は、第１の面２００ａと第２の面２００ｂとを有する。第１の面２００ａは、指示体３００により指示される側の面であり、図１において露出している面である。第２の面２００ｂは、同図に示す各層を介して第１の面２００ａと対向する面であり、図１において記録装置１００側に隠れている面である。本実施形態の表示媒体２００は、第２の面２００ｂ側から光を照射される。
【００１６】
第１の面２００ａと第２の面２００ｂの間には、第１の面２００ａ側から順に、保護層２１０、透明導電層２２０、表示素子層２３０、光導電層２４０、透明導電層２５０及び保護層２６０が形成されている。保護層２１０及び２６０は、表示媒体２００の表面を保護するための層である。保護層２１０及び２６０は、例えば、ＰＥＴ（ポリエチレンテレフタラート）樹脂を用いて作られる。透明導電層２２０及び２５０は、表示素子層２３０及び光導電層２４０に電圧を印加するための層である。透明導電層２２０及び２５０は、いわゆる透明電極であり、例えば、ＩＴＯ（酸化インジウム錫）を用いて作られる。透明導電層２２０及び２５０には、それぞれ、記録装置１００が電圧を印加するための端子２２１、２５１が電気的に接続されている。
【００１７】
表示素子層２３０は、印加される電圧に応じて状態を変化させ、反射する光を変化させる表示素子を含む層である。本実施形態の表示素子層２３０は、バインダー樹脂中にマイクロカプセル状のコレステリック液晶表示素子が複数分散されたものである。光導電層２４０は、照射される光に応じて電気抵抗を変化させ、その結果、光が照射された位置と照射されてない位置とで、表示素子層２３０に生じる電圧を変化させる。光導電層２４０は、例えば、有機感光体を用いて作られる。本実施形態の光導電層２４０は、光が照射されると、照射されない場合よりも電気抵抗が低くなり、表示素子層２３０に生じる電圧を増加させる。光導電層２４０は、表示素子層２３０と比べた場合に、照射される光により近い側に設けられている。
本実施形態は、表示素子層２３０及び光導電層２４０の相互作用により、本発明に係る表示層、すなわち、印加される電圧及び照射される光に応じて階調が変化する表示層が構成されるものである。本実施形態の表示層は、複数行・複数列の画素を構成し、画素毎に階調が変化する。
【００１８】
コレステリック液晶は、いわゆる双安定性（又は記憶性）を有し、電圧が印加されない状態においても、２種類の配向状態のいずれかを維持する。コレステリック液晶の配向状態には、光を透過するフォーカルコニック配向と、特定の波長の光を選択的に反射（ブラッグ反射）するプレーナ配向とがある。また、コレステリック液晶は、印加される電圧に応じて、プレーナ配向からフォーカルコニック配向又はフォーカルコニック配向からプレーナ配向に、配向状態を変化させる。
【００１９】
図４は、コレステリック液晶における電圧の変化に応じた反射率の変化を示す模式図である。この例の場合、コレステリック液晶は、電圧がＶ１以下であるときに、プレーナ配向であり、光を反射する。また、コレステリック液晶は、この状態からＶ２以上の電圧を印加されると、プレーナ配向からフォーカルコニック配向に状態遷移し、光を透過するようになる。さらに、コレステリック液晶は、この状態からＶ４以上の電圧を印加されると、フォーカルコニック配向からプレーナ配向に状態遷移し、再び光を反射するようになる。これらの反射率の相違が、表示素子層２３０に階調の変化を生じさせる。
【００２０】
本実施形態においては、説明の便宜上、表示素子層２３０がプレーナ配向であるときの階調を「白」といい、表示素子層２３０がフォーカルコニック配向であるときの階調を「黒」という。この場合、「白」が変化前の階調であり、「黒」が変化後の階調である。ただし、ここでいう「白」及び「黒」は、表示媒体２００の各層の組成によって決まる色であり、その組成によって相違を生じ得る。例えば、表示素子層２３０が「白」であるといっても、コレステリック液晶表示素子の組成によっては、やや緑がかった白に見える場合がある。また、ここでいう「黒」も、必要に応じて、光の反射又は吸収の特性を調整することにより、「青」や「緑」に変更され得る。
【００２１】
本実施形態の表示媒体２００の各画素は、初期状態において白を表示する。また、表示媒体２００は、Ｖ２以上Ｖ３以下の電圧を印加された画素が階調を変化させ、その表示を白より黒へと変化させる。また、画像が表示された表示媒体２００は、Ｖ４以上の電圧を印加されることにより、表示素子層２３０が再びプレーナ配向（すなわち白）へと変化するため、画像が消去される。
なお、本実施形態においては、白と黒との中間にある階調（すなわち中間調）は表示しないものとする。本発明を中間調表示に適用した場合については、後述する変形例において説明される。
【００２２】
図５は、記録装置１００のハードウェア構成を示すブロック図である。同図に示すように、記録装置１００は、制御部１１０と、電圧印加部１２０と、位置特定部１３０と、露光部１４０と、記憶部１５０とを備える。制御部１１０は、本発明に係る制御手段の一例である。制御部１１０は、ＣＰＵ（Central Processing Unit）等の演算処理装置やメモリを備え、あらかじめ記憶されたプログラムを実行することにより、記録装置１００の各部の動作を制御する。電圧印加部１２０は、本発明に係る電圧印加手段の一例である。電圧印加部１２０は、電源を備え、端子２２１及び２５１と導通して表示媒体２００に電圧を印加する。
【００２３】
位置特定部１３０は、本発明に係る位置特定手段の一例であり、指示体３００により指示された第１の面２００ａ上の位置（以下、「指示位置」という。）を特定する。本実施形態の位置特定部１３０としては、例えば、指示体３００の先端から超音波（又は赤外線）が発され、あらかじめ決められた複数の位置で超音波を検知し、これらの超音波の相違に基づいて当該先端の位置を特定する構成（いわゆる波動方式）を採用し得る。
【００２４】
露光部１４０は、本発明に係る露光手段の一例である。露光部１４０は、表示媒体２００上の必要な位置を露光する。ここにおいて、必要な位置（以下、「露光位置」という。）とは、情報を書き込むべき位置である。露光位置は、追記をするときにおいては、位置特定部１３０により特定された指示位置に対応する位置である。本実施形態の露光部１４０は、指示体３００が指示する側と反対の側から光を照射し、表示媒体２００を露光する。
【００２５】
本実施形態の露光部１４０としては、例えば、表示層の全面に光を照射するバックライトと、露光位置でのみ光を透過し、それ以外の位置で光を遮る液晶パネル等の調光素子とを組み合わせた構成がある。あるいは、有機エレクトロルミネセンスを利用した発光素子（以下、「有機ＥＬ素子」という。）を表示層の各画素に対応するように複数設け、個々の有機ＥＬ素子の照射・非照射を制御する構成が露光部１４０として用いられてもよい。
【００２６】
記憶部１５０は、本発明に係る記憶手段の一例であり、データを記憶する。記憶部１５０は、例えばフラッシュメモリ等の記憶媒体を備えるが、いわゆるメモリカードとそのリーダライタとを備える構成のように、記憶媒体が記録装置１００に対して着脱される構成であってもよい。
【００２７】
記憶部１５０が記憶するデータには、表示媒体２００にあらかじめ表示されていた画像（図形、文字、罫線など）を表すデータ（以下、「事前画像データ」という。）と、指示体３００により指示されて追記された画像を表すデータ（以下、「追記データ」という。）とが含まれる。以下においては、事前画像データと追記データとを総称して「軌跡データ」という。つまり、軌跡データは、表示媒体２００にいずれかのタイミングで表示され、かつ、消去されていない画像を表すデータである。
【００２８】
図６は、本実施形態の制御部１１０が追記をするときに実現する機能的構成を示す機能ブロック図である。本実施形態の制御部１１０は、プログラムを実行することにより、同図に示す位置取得部１１１、軌跡記録部１１２、軌跡取得部１１３、判断部１１４、電圧制御部１１５及び露光制御部１１６に相当する機能を実現する。
【００２９】
位置取得部１１１は、本発明に係る取得手段（第１の取得手段）の一例であり、位置特定部１３０により特定された指示位置を表すデータ（以下、「位置データ」という。）を取得する。軌跡記録部１１２は、位置データを記憶部１５０に記憶させ、これを記録する。軌跡記録部１１２により記録された位置データは、記録前の位置データと区別するために、ここでは「軌跡データ」という。
【００３０】
軌跡取得部１１３は、本発明に係る取得手段（第２の取得手段）の一例であり、記憶部１５０に記憶された軌跡データを取得する。判断部１１４は、位置取得部１１１により取得された位置データと軌跡取得部１１３により取得された軌跡データとを比較し、位置データが表す指示位置と軌跡データが表すあらかじめ表示されていた画像とが重なるか否かを、指示位置毎に順次判断する。
【００３１】
電圧制御部１１５は、表示媒体２００に情報が書き込まれるときに、電圧印加部１２０に電圧の印加を行わせる。また、電圧制御部１１５は、追記をするときにおいては、判断部１１４の判断結果に応じて電圧の印加の態様を異ならせるように制御する。具体的には、電圧制御部１１５は、追記をするときにおいて、指示位置があらかじめ表示されていた画像と重なる場合（すなわち指示位置が黒である場合）には、重ならない場合（すなわち指示位置が白である場合）よりも、電圧印加部１２０による電圧の印加が抑制されるように制御する。電圧制御部１１５による制御の態様は、指示位置が黒である場合に、指示位置が白である場合よりも透明導電層２２０と透明導電層２５０との電位差を小さくするものである。電圧制御部１１５による制御の態様は、より望ましくは、指示位置が黒である場合に、電圧印加部１２０に電圧を印加させず、透明導電層２２０と透明導電層２５０との電位差がなくなるようにするものである。なお、電圧制御部１１５は、電圧印加部１２０そのものを制御するのではなく、例えば、スイッチの切り替えなどによって、電圧印加部１２０に供給される電力を一時的に遮断したり、表示媒体２００に印加される電圧を少なくしたりする制御を行ってもよい。
【００３２】
露光制御部１１６は、表示媒体２００に情報が書き込まれるときに、露光部１４０に露光を行わせる。露光制御部１１６は、追記をするときにおいては、位置取得部１１１により取得される位置データに従い、指示位置が特定された場合に露光を行わせる。なお、露光制御部１１６は、電圧制御部１１５と連動し、指示位置が黒である場合に、指示位置が白である場合よりも露光量（単位面積に対して単位時間に照射する光のエネルギー量）を少なくしてもよいが、本実施形態においては電圧制御部１１５と連動しないものとする。
【００３３】
本実施形態の記録システム１０の構成は、以上のとおりである。この構成のもと、記録装置１００は、表示媒体２００に情報を記録する。例えば、記録装置１００は、まだ何も記録されていない表示媒体２００が装着されると、事前画像データが表す画像をこの表示媒体２００に表示させる。また、記録装置１００は、このようにして画像があらかじめ表示された表示媒体２００に対して追記の指示が行われると、以下のように記録の態様を制御する。
【００３４】
図７は、記録装置１００の制御部１１０が追記をするときに実行する処理を示すフローチャートである。同図に示すように、制御部１１０は、最初は、露光部１４０による光の照射が行われない状態（オフ状態）にするとともに、電圧印加部１２０による電圧の印加が行われない状態（オフ状態）にしている（ステップＳ１）。この状態を初期状態として、制御部１１０は、追記が行われたか否かを判断する（ステップＳ２）。この判断は、本実施形態においては、指示位置が特定されたか否かにより行われる。制御部１１０は、追記が行われていないと判断している間は、初期状態を維持する。
【００３５】
制御部１１０は、追記が行われたと判断した場合に、さらに、指示位置にあらかじめ表示された画像が重なるか否かを判断する（ステップＳ３）。すなわち、制御部１１０は、このとき、指示位置に相当する画素が黒であるか否かを判断する。制御部１１０は、指示位置に相当する画素が白である場合には、露光部１４０により光が照射される状態（オン状態）にするとともに、電圧印加部１２０により電圧が印加される状態（オン状態）にする（ステップＳ４）。一方、制御部１１０は、指示位置に相当する画素が黒である場合には、露光部１４０をオン状態にするとともに、電圧印加部１２０をオフ状態にする（ステップＳ５）。その後、制御部１１０は、ステップＳ２の判断を再度実行し、上述した処理を繰り返す。
【００３６】
図８は、本実施形態における追記をするときの電圧印加の時間（ｔ）による変化を示す図である。同図（ａ）に示すように、本実施形態においては、指示位置が黒である場合に、表示媒体２００に印加される電圧（Ｖ）が低下する。そうすると、本実施形態の態様によれば、同図（ｂ）に示す場合、すなわち指示位置の階調によらず一定の電圧を印加する場合に比べ、表示層に印加される電圧の積算値が少なくなり、また、電圧印加部１２０による電力消費が少なくなる。また、本実施形態の態様によれば、同図（ｂ）に示す場合、すなわち指示位置の階調によらず一定の電圧を印加する場合に比べ、一定の電圧が連続して表示層に印加される時間が短くなる。なお、階調がもとから変化している部分は、追記をしてもしなくても階調が変化しない部分であるため、追記が不要な部分であるといえる。
【００３７】
図９は、表示層における白黒反射率差を電圧の印加時間（連続して印加している時間。単位はミリ秒）毎に示す図である。ここで白黒反射率差とは、黒であるべき画素の反射率（以下、「黒反射率」という。）と、白であるべき画素の反射率（以下、「白反射率」という。）の差を示している。同図に示すとおり、白反射率と黒反射率の差は、印加時間が長いほど小さくなる傾向にある。つまり、白反射率と黒反射率の差、すなわち表示層のコントラストは、印加時間が長くなるほど小さくなる。
【００３８】
ところで、電圧を抑制する期間（以下、「電圧抑制期間」という。）は、コントラストの低下を抑えるためには、表示素子によって異なるものの、５ミリ秒程度の時間があれば十分である。一方、本発明の発明者らの実験によると、使用者の筆記速度は、平均すると秒速３４ｍｍ程度であった。この平均的な筆記速度で使用者が追記を行うと、１ｍｍの幅の線を横切るのに要する時間は、約３０ミリ秒であり、コントラストの低下を抑制するために十分な時間である。ただし、制御部１１０は、表示素子が要求する電圧抑制期間によっては、指示位置に相当する画素が黒である期間が電圧抑制期間に応じた一定時間を経過した場合に電圧印加を抑制し、当該期間が一定時間未満であれば、電圧印加を抑制しないようにしてもよい。
【００３９】
なお、制御部１１０は、図７に示す処理を実行するときに、位置データを軌跡データとして記憶部１５０に記憶させる処理をあわせて実行する。また、制御部１１０は、位置データを（記憶部１５０ではなく）メモリに保持し、このメモリを参照することによりあらかじめ表示された画像を特定するようにしてもよいし、このメモリに記憶されたデータと記憶部１５０に記憶された軌跡データとを組み合わせて用いてもよい。
【００４０】
［変形例］
上述した実施形態は、本発明の一例である。本発明は、上述した実施形態に限られず、例えば、以下の変形例によって実施されてもよい。また、本発明は、以下の変形例を適当に組み合わせた実施を妨げない。
【００４１】
（変形例１）
本発明は、中間調を表示する場合、すなわち３以上の階調数で情報を表示する場合にも適用され得る。本発明は、例えば、階調値「０」を白とし、階調値「２５５」を黒とした２５６階調を表示層が表示する場合に適用する場合、指示位置にあらかじめ表示されている階調値とこれから表示しようとする階調値とを比較し、指示位置の階調値がこれから表示しようとする階調値以上であれば、電圧の印加を抑制する態様によっても実施され得る。なお、本発明は、かかる場合において、指示位置の階調値に代えて指示位置の階調値に応じた閾値（例えば、指示位置の階調値に一定値を加算又は減算した値）を用いてもよい。
【００４２】
また、本発明は、いわゆるモノクロ表示に限定されるものではない。本発明は、例えば、赤（４００〜５００ｎｍ程度）、緑（５００〜５８０ｎｍ程度）、青（５７５〜７００ｎｍ程度）のそれぞれの波長域の光を選択的に反射し、その他の波長域の光を透過する表示素子層を積層した表示媒体と、かかる表示媒体のそれぞれの表示素子層に独立に電圧を印加するように構成された記録装置とによる記録システムに適用されれば、カラー表示が実現される。
【００４３】
（変形例２）
本発明は、指示体と記録装置とを有線又は無線の通信手段により接続した態様によっても実施され得る。
図１０は、本例に係る記録システムの構成を示す図である。この記録システム１０ａは、記録装置１００ａと、指示体３００ａとを備える。指示体３００ａは、検知部３１０と、通信部３２０とを備える。ここにおいて、検知部３１０は、本発明に係る照射手段、検知手段及び位置特定手段に相当する各機能を兼ね備えるものである。
【００４４】
検知部３１０は、光を照射する照射部と、光を検知するセンサとを備え、指示位置を特定するとともに、指示位置の階調を検知する。照射部には、例えば、発光ダイオードや、有機ＥＬ素子などが用いられる。指示位置を特定する方法には、例えば、表示媒体２００の表面にドット等の微細なパターン画像をあらかじめ決められた規則に従って形成しておき、このパターン画像を読み取ることで指示位置の座標を特定するものがある。通信部３２０は、記録装置１００ａの通信部１６０と有線又は無線の通信を行う通信インターフェースを備え、検知部３１０による検知結果を記録装置１００ａに送信する。通信部３２０は、指示位置を表す位置データと、指示位置の階調値を表す階調データとを送信する。
【００４５】
なお、指示体３００ａは、使用者が操作するスイッチや、表示媒体２００との接触を検知するセンサなどを備え、必要な期間（すなわち、使用者により指示位置が指示されている期間）に限ってデータを送信するように構成されてもよい。また、指示体３００ａは、表示媒体２００の表面を読み取った結果である画像データを送信し、指示位置や階調値の特定が記録装置１００ａで行われるようにしてもよい。
【００４６】
記録装置１００ａは、制御部１１０ａと、電圧印加部１２０と、露光部１４０と、記憶部１５０と、通信部１６０とを備える。なお、制御部１１０ａは、位置データを通信部１６０から取得する点が上述した実施形態の制御部１１０と異なるが、その他の点においては制御部１１０と共通する構成を有する。また、電圧印加部１２０、露光部１４０及び記憶部１５０は、上述した実施形態と共通するものである。通信部１６０は、通信部３２０による通信に対応する構成を備え、通信部３２０から送信されたデータを受信する。
【００４７】
この構成において、制御部１１０ａは、指示体３００から受信した階調データを用いて、印加すべき電圧（すなわち、電圧の印加を抑制するか否か）を判断する。すなわち、制御部１１０ａは、階調データが白（あるいは、白とみなせる中間調）であれば、あらかじめ決められた電圧を電圧印加部１２０に印加させ、階調データが黒（あるいは、黒とみなせる中間調）であれば、あらかじめ決められた電圧よりも小さい電圧を電圧印加部１２０に印加させる。
【００４８】
なお、本例において、表示媒体２００を露光するのに十分な光量の光が指示体３００ａにより照射される場合にあっては、指示体３００ａを露光手段として用いてもよい。かかる場合、記録装置１００ａに露光部１４０を設けなくてもよいが、記録装置１００ａと指示体３００ａの両方で光を照射するようにしてもよい。指示体３００ａのみで露光する場合にあっては、指示体３００ａが位置特定手段に相当する機能を有していなくてもよい。なぜならば、指示体３００ａで指示位置を指示すれば、指示位置に自然と光が照射されるからである。また、上述した実施形態のように、軌跡データを用いる場合にあっては、指示体３００ａが検知手段に相当する機能を有していなくてもよい。
【００４９】
（変形例３）
本発明は、駆動装置と表示媒体とを一体に構成した表示装置としても実施され得る。かかる場合、本発明に係る位置特定手段には、表示媒体の表面に設けられたタッチセンサ（タッチパネル）が用いられてもよい。また、表示媒体の表面に圧力を検知するセンサが設けられる場合にあっては、検知した圧力があらかじめ決められた閾値を超えた場合に指示位置が特定されるようにしてもよい。
なお、本例は、上述した変形例２の記録システムに組み合わせて適用されてもよいものである。
【００５０】
（変形例４）
本発明においては、表示媒体が着脱式である場合に、表示媒体に画像を最初に記録する記録装置（第１の記録装置）と、当該表示媒体にその後に追記を行う記録装置（第２の記録装置）とが異なることがある。このとき、第２の記録装置は、第１の記録装置が記録した画像を特定するための構成を備える。かかる構成は、例えば、第１の記録装置と第２の記録装置とを通信手段により接続してデータの送受信を行えるようにし、第１の記録装置から第２の記録装置に事前画像データに相当する画像データが送信される構成である。
【００５１】
また、かかる画像データは、表示媒体自体に記憶されてもよい。例えば、画像データを記憶する記憶手段を表示媒体が備えるとともに、表示媒体の記憶手段に画像データの書き込みや読み出しを行う手段を記録装置が備えることにより、表示媒体を介した画像データの受け渡しが実現される。表示媒体の記憶手段としては、例えば、接触型又は非接触型のＩＣチップが用いられる。なお、かかる場合においては、あらかじめ複数の画像データが記録装置に記憶されており、表示媒体の記憶手段では画像データを特定する情報（ファイル名など）だけがやりとりされてもよい。
【００５２】
（変形例５）
本発明は、本発明に係る駆動装置に相当する機能をコンピュータに実行させるためのプログラムや、かかるプログラムを記録した記録媒体の形態でも実施され得る。また、本発明に係るプログラムは、インターネット等のネットワークを介してコンピュータにダウンロードさせ、これをインストールして利用可能にするなどの形態でも提供され得る。
【符号の説明】
【００５３】
１０、１０ａ…記録システム、１００、１００ａ…記録装置、１１０…制御部、１１１…位置取得部、１１２…軌跡記録部、１１３…軌跡取得部、１１４…判断部、１１５…電圧制御部、１１６…露光制御部、１２０…電圧印加部、１３０…位置特定部、１４０…露光部、１５０…記憶部、２００…表示媒体、２１０、２６０…保護層、２２０、２５０…透明導電層、２３０…表示素子層、２４０…光導電層、３００、３００ａ…指示体、３１０…検知部、３２０…通信部
【図１】
2011027805.tif 000003
【図２】
2011027805.tif 000004
【図３】
2011027805.tif 000005
【図４】
2011027805.tif 000006
【図５】
2011027805.tif 000007
【図６】
2011027805.tif 000008
【図７】
2011027805.tif 000009
【図８】
2011027805.tif 000010
【図９】
2011027805.tif 000011
【図１０】
2011027805.tif 000012